(57)【要約】【課題】地域ごとに示された位置関係をきっかけにデータを探すことができるデータ管理装置を提供する。【解決手段】データ管理装置の第１表示制御手段は、位置関係を示し、地域ごとに区分されている図を画面上に表示させるよう制御し、受付手段は、前記図上の地域へ、データを表象した画像を表示させる指示を、前記地域ごとに受け付け、第２表示制御手段は、前記画像を前記地域上に表示させるよう制御する。【選択図】図１
2020101669.tif 000002
【特許請求の範囲】
【請求項１】
位置関係を示し、地域ごとに区分されている図を画面上に表示させるよう制御する第１表示制御手段と、
前記図上の地域へ、データを表象した画像を表示させる指示を、前記地域ごとに受け付ける受付手段と、
前記画像を前記地域上に表示させるよう制御する第２表示制御手段と、
を備えたデータ管理装置。
【請求項２】
前記図内で、指定した地域の範囲内でさらに、前記画像を表示させる位置を指定することができる、
請求項１に記載のデータ管理装置。
【請求項３】
指定した地域以外へは、前記画像を表示させる位置として指定することができないようにする、
請求項２に記載のデータ管理装置。
【請求項４】
前記受付手段は、前記図上の一部分での目印を表示させる指示を受け付け、
前記目印が作成された場合、前記図を共有しているユーザーに該目印の作成を通知する通知手段
をさらに備えた請求項１に記載のデータ管理装置。
【請求項５】
前記目印付近に配置させるデータの種類を定めた規則が設定されており、前記第２表示制御手段は、該規則にしたがって、前記画像の表示を制御する、
請求項４に記載のデータ管理装置。
【請求項６】
前記通知手段は、前記目印付近にデータが配置された場合に、前記ユーザーに通知する、
請求項４に記載のデータ管理装置。
【請求項７】
前記第２表示制御手段は、前記データの容量、重要度、バージョンアップのいずれか１つ以上に応じて、前記画像を変化させる、
請求項１に記載のデータ管理装置。
【請求項８】
前記第２表示制御手段は、ユーザーがデータを閲覧した順序を前記図上に表示する、
請求項１に記載のデータ管理装置。
【請求項９】
前記第２表示制御手段は、前記閲覧した順序を記号で表示する、
請求項８に記載のデータ管理装置。
【請求項１０】
前記受付手段は、前記図の拡大又は縮小に応じて、新たに配置する画像の位置を制限する、
請求項１に記載のデータ管理装置。
【請求項１１】
コンピュータを、
位置関係を示し、地域ごとに区分されている図を画面上に表示させるよう制御する第１表示制御手段と、
前記図上の地域へ、データを表象した画像を表示させる指示を、前記地域ごとに受け付ける受付手段と、
前記画像を前記地域上に表示させるよう制御する第２表示制御手段
として機能させるためのデータ管理プログラム。
【発明の詳細な説明】
【技術分野】
【０００１】
本発明は、データ管理装置及びデータ管理プログラムに関する。
【背景技術】
【０００２】
特許文献１には、会議を記録して後日会議の内容を表示する際、記録に基づく会議の内容がユーザーに見易く表示されるようにすることを課題とし、資料の文書および画像並びに会議参加者の音声および画像の少なくとも何れかを会議情報オブジェクトとして記憶する記憶装置と、記憶された会議情報オブジェクトのうち文書および画像の少なくとも何れかを表示する表示装置を含み、会議の期間を複数の時間帯に分割した各時間帯と会議情報オブジェクトとを関連付けて記憶装置に記憶させる記憶処理部と、記憶された会議情報オブジェクトに基づいて会議の各時間帯における盛上りの度合いを算出する算出処理部と、記憶された会議情報オブジェクトを、各時間帯における盛上り度合いに応じた集約の度合いでかつ時系列の配置で表示装置に表示する表示処理部とを備える会議情報表示システムが開示されている。
【先行技術文献】
【特許文献】
【０００３】
【特許文献１】特開２０１８−７３２３７号公報
【発明の概要】
【発明が解決しようとする課題】
【０００４】
文書等のデータを共有するために、複数人がアクセス可能なフォルダーが利用されている。フォルダーは、サブフォルダーを用いて階層化されて管理される。ユーザーは、データを探すために、フォルダーの階層を理解する必要がある。例えば、この階層が複雑化すると、所望のデータに到達するまでに辿るべき階層数が多くなり、ユーザーがデータを探すのが困難になる。
一方、地図等の地域ごとに位置関係を示した図は、その位置関係を視覚的に把握しやすく、その情報を対応付けることによって、位置関係から、対象物を見つけやすく、位置関係をきっかけに対象物を探しやすくなる。
本発明は、地域ごとに示された位置関係をきっかけにデータを探すことができるデータ管理装置及びデータ管理プログラムを提供することを目的としている。
【課題を解決するための手段】
【０００５】
かかる目的を達成するための本発明の要旨とするところは、次の各項の発明に存する。
請求項１の発明は、位置関係を示し、地域ごとに区分されている図を画面上に表示させるよう制御する第１表示制御手段と、前記図上の地域へ、データを表象した画像を表示させる指示を、前記地域ごとに受け付ける受付手段と、前記画像を前記地域上に表示させるよう制御する第２表示制御手段と、を備えたデータ管理装置である。
【０００６】
請求項２の発明は、前記図内で、指定した地域の範囲内でさらに、前記画像を表示させる位置を指定することができる、請求項１に記載のデータ管理装置である。
【０００７】
請求項３の発明は、指定した地域以外へは、前記画像を表示させる位置として指定することができないようにする、請求項２に記載のデータ管理装置である。
【０００８】
請求項４の発明は、前記受付手段は、前記図上の一部分での目印を表示させる指示を受け付け、前記目印が作成された場合、前記図を共有しているユーザーに該目印の作成を通知する通知手段をさらに備えた請求項１に記載のデータ管理装置である。
【０００９】
請求項５の発明は、前記目印付近に配置させるデータの種類を定めた規則が設定されており、前記第２表示制御手段は、該規則にしたがって、前記画像の表示を制御する、請求項４に記載のデータ管理装置である。
【００１０】
請求項６の発明は、前記通知手段は、前記目印付近にデータが配置された場合に、前記ユーザーに通知する、請求項４に記載のデータ管理装置である。
【００１１】
請求項７の発明は、前記第２表示制御手段は、前記データの容量、重要度、バージョンアップのいずれか１つ以上に応じて、前記画像を変化させる、請求項１に記載のデータ管理装置である。
【００１２】
請求項８の発明は、前記第２表示制御手段は、ユーザーがデータを閲覧した順序を前記図上に表示する、請求項１に記載のデータ管理装置である。
【００１３】
請求項９の発明は、前記第２表示制御手段は、前記閲覧した順序を記号で表示する、請求項８に記載のデータ管理装置である。
【００１４】
請求項１０の発明は、前記受付手段は、前記図の拡大又は縮小に応じて、新たに配置する画像の位置を制限する、請求項１に記載のデータ管理装置である。
【００１５】
請求項１１の発明は、コンピュータを、位置関係を示し、地域ごとに区分されている図を画面上に表示させるよう制御する第１表示制御手段と、前記図上の地域へ、データを表象した画像を表示させる指示を、前記地域ごとに受け付ける受付手段と、前記画像を前記地域上に表示させるよう制御する第２表示制御手段として機能させるためのデータ管理プログラムである。
【発明の効果】
【００１６】
請求項１のデータ管理装置によれば、地域ごとに示された位置関係をきっかけにデータを探すことができる。
【００１７】
請求項２のデータ管理装置によれば、データを配置する位置を、指定した地域の範囲内に限定することができることができる。
【００１８】
請求項３のデータ管理装置によれば、データを配置する位置として、指定した地域以外には指定できないようにすることができる。
【００１９】
請求項４のデータ管理装置によれば、目印が作成されたことを他のユーザーに通知することができる。
【００２０】
請求項５のデータ管理装置によれば、目印付近に配置させるデータの種類を限定することができる。
【００２１】
請求項６のデータ管理装置によれば、目印付近にデータが配置されたことを、ユーザーに通知することができる。
【００２２】
請求項７のデータ管理装置によれば、画像によって、データの容量、重要度、バージョンアップのいずれか１つ以上を知ることができるようになる。
【００２３】
請求項８のデータ管理装置によれば、データが閲覧された順序を知ることができるようになる。
【００２４】
請求項９のデータ管理装置によれば、記号によって、データが閲覧された順序を知ることができるようになる。
【００２５】
請求項１０のデータ管理装置によれば、図を拡大又は縮小することによって、新たに配置する画像の位置を制限することができる。
【００２６】
請求項１１のデータ管理プログラムによれば、地域ごとに示された位置関係をきっかけにデータを探すことができる。
【図面の簡単な説明】
【００２７】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理例を示すフローチャートである。
【図５】本実施の形態による処理例を示すフローチャートである。
【図６】本実施の形態による処理例を示すフローチャートである。
【図７】地図管理テーブル、配置可能・不可領域管理テーブルのデータ構造例を示す説明図である。
【図８】本実施の形態による処理例を示す説明図である。
【図９】本実施の形態による処理例を示す説明図である。
【図１０】本実施の形態による処理例を示す説明図である。
【図１１】本実施の形態による処理例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示す説明図である。
【図１６】文書管理テーブルのデータ構造例を示す説明図である。
【図１７】本実施の形態による処理例を示すフローチャートである。
【図１８】ランドマーク管理テーブルのデータ構造例を示す説明図である。
【図１９】階層ランドマーク管理テーブルのデータ構造例を示す説明図である。
【図２０】本実施の形態による処理例を示すフローチャートである。
【図２１】本実施の形態による処理例を示すフローチャートである。
【図２２】本実施の形態による処理例を示す説明図である。
【図２３】本実施の形態による処理例を示す説明図である。
【図２４】本実施の形態による処理例を示す説明図である。
【図２５】本実施の形態による処理例を示す説明図である。
【図２６】本実施の形態による処理例を示す説明図である。
【図２７】本実施の形態による処理例を示す説明図である。
【図２８】本実施の形態による処理例を示す説明図である。
【図２９】本実施の形態による処理例を示すフローチャートである。
【図３０】本実施の形態による処理例を示すフローチャートである。
【図３１】ログ管理テーブルのデータ構造例を示す説明図である。
【図３２】本実施の形態による処理例を示す説明図である。
【図３３】本実施の形態による処理例を示す説明図である。
【図３４】本実施の形態による処理例を示すフローチャートである。
【図３５】本実施の形態による処理例を示す説明図である。
【図３６】本実施の形態による処理例を示す説明図である。
【図３７】本実施の形態による処理例を示す説明図である。
【図３８】本実施の形態による処理例を示す説明図である。
【図３９】本実施の形態を実現するコンピュータのハードウェア構成例を示すブロック図である。
【発明を実施するための形態】
【００２８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２９】
本実施の形態である情報処理装置１００は、複数人で共有されるデータを表象した画像を表示させる機能を有しており、図１の例に示すように、指示受付モジュール１０５、位置関係図記憶モジュール１１０、共有データ記憶モジュール１１５、データ管理モジュール１２０、表示制御モジュール１２５を有している。例えば、大量の文書を扱う文書共有装置におけるユーザーインタフェースに用いてもよい。
一般的に、文書共有装置において、ユーザーが参照したい文書を見つけやすくするために、フォルダー（又はディレクトリ）と呼ばれるオブジェクトが利用されてきた。このフォルダーには文書やサブフォルダーを登録することができる。フォルダーによるアイコンで子フォルダー又は文書をグルーピングして階層を平面上で見せるツリー階層表示により、ユーザーインタフェース上でたどることにより、ユーザーは所望の文書を探していた。
管理する文書数が多くなるとフォルダー階層も複雑になる。そして、所望の文書に到達するまでにたどるべき階層数が多くなり、文書がどこにあるのかがわかりにくくなってしまい、ユーザーが所望の文書を探すのが困難になってしまう。
【００３０】
指示受付モジュール１０５は、表示制御モジュール１２５の位置関係図表示制御モジュール１３０、共有データ表示制御モジュール１３５と接続されている。指示受付モジュール１０５は、位置関係を示す図上の一部分へ、データ（「共有されるデータ」であってもよいし、ユーザー個人のデータであってもよい）を表象した画像を表示させる指示を受け付ける。なお、この「図」は、位置関係を示し、地域ごとに区分けされていてもよい。そして、指示受付モジュール１０５は、図上の地域へ、データを表象した画像を表示させる指示をその地域ごとに受け付ける。
ここで「位置関係を示す図」として、複数人がアクセスできるものであって（具体的には、その複数人のユーザー端末で表示可能であって）、複数人が位置関係に関して共通認識としてもっているものを図式化したものである。例えば、地図、路線図、フロアマップ、間取り図等がある。これらは、実際の地図等であってもよいし、仮想空間（空想上、ゲーム等）における地図等であってもよい。なお、ここでの共通認識として、既に知られている地図等としてもよいし、具体的に内容が知られているものではないが、地図等における常識（例えば、海上では建物を建てられない等）が共有化されていればよい。また、図は平面図であってもよいし、立体図であってもよい。なお、「位置関係を示す図」には、ツリー構成図のようなデータ構成図は含まない。
「図上の一部分」として、図内の位置を示すものであって、座標で表すことのできる点であってもよいし、面積を有する領域であってもよい。
データは、テキストデータ、数値データ、図形データ、画像データ、動画データ、音声データ等、又はこれらの組み合わせであり、記憶、編集及び検索等の対象となり、システム又は利用者間で個別の単位として交換できるものをいい、これらに類似するものを含む。例えば、文書（ファイルとも言われる）等が該当する。具体的には、文書は、文書作成プログラム（いわゆるワープロソフト）によって作成された文書、画像読取装置（スキャナー等）で読み込まれた画像、Ｗｅｂページ等を含む。以下、データの例示として文書を用いて説明する。
「共有されるデータ」として、２人以上のユーザーによって共有されるデータであればよい。また、その共有するユーザーは、同じ図（地図等）を閲覧可能である。したがって、その図上では、同じ位置に同じデータが配置されていることになる。
「データを表象した画像」として、そのデータを示す画像であればよく、例えば、データの縮小画像（サムネイル画像）、アイコン等がある。以下、「データを表象した画像」としてアイコンを例示して説明する。
また「指示の受け付け」として、例えば、マウス、キーボード、タッチパネル、音声、視線、ジェスチャ等を用いたユーザーの操作による指示を受け付ける。また、この指示は通信回線を介して受け付けるようにしてもよい。
【００３１】
指示受付モジュール１０５は、「図内で、画像を表示させる位置を指定すること」を受け付ける。この図内には、指定した地域の範囲内と指定した地域以外の２種類がある。
つまり、指示受付モジュール１０５は、「図内で、指定した地域の範囲内でさらに、画像を表示させる位置を指定すること」又は「図内で、指定した地域以外に、画像を表示させる位置を指定すること」を受け付けることとなる。
ここで「指定した地域の範囲」として、例えば、図として地図を用いた場合、陸地の部分が該当する。この場合、陸地上にデータを配置させることになる。
そして「指定した地域以外」として、例えば、図として地図を用いた場合、海、川等が該当する。この場合、後述するように、海、川等の地域に、データを配置することはできないとして取り扱われる。
また、指示受付モジュール１０５は、図上の一部分での目印を表示させる指示を受け付けてもよい。
ここで「目印」とは、マーク、ランドマークともいわれ、図上でデータを表示させる位置の印（目安）である。
【００３２】
また、指示受付モジュール１０５は、図の拡大又は縮小に応じて、新たに配置する画像の位置を制限するようにしてもよい。例えば、画像間に隙間がない場合（図上に既に複数の画像が密集して配置されている場合）は、その画像間に新たな画像を追加することはできないが、図を拡大した場合は、その画像間に隙間ができるので、新たな画像の追加を許すようにしてもよい。逆に、縮小したことによって、画像間に隙間がなくなる場合は、その画像間に新たな画像を配置することを許さないようにしてもよい。
【００３３】
位置関係図記憶モジュール１１０は、表示制御モジュール１２５の位置関係図表示制御モジュール１３０と接続されている。位置関係図記憶モジュール１１０は、図に関する情報を記憶している。例えば、図の形状、その図において画像を表示できる領域、その図において画像を表示できない領域等を管理している。具体的には、図７を用いて後述する。
共有データ記憶モジュール１１５は、データ管理モジュール１２０と接続されている。共有データ記憶モジュール１１５は、データが格納されているＵＲＬ等の場所（又は、データそのものであってもよい）、データを表象した画像、図上の位置、データ閲覧のログ等を管理している。具体的には、図１６、図３１を用いて後述する。
データ管理モジュール１２０は、共有データ記憶モジュール１１５、表示制御モジュール１２５の共有データ表示制御モジュール１３５と接続されている。データ管理モジュール１２０は、共有データ記憶モジュール１１５内のデータを管理する。例えば、ユーザーの操作によって指定された配置位置を共有データ記憶モジュール１１５に記憶させ、閲覧指示の対象となったデータを読み出し、共有データ表示制御モジュール１３５に渡す。
【００３４】
表示制御モジュール１２５は、位置関係図表示制御モジュール１３０、共有データ表示制御モジュール１３５、通知モジュール１４０を有している。表示制御モジュール１２５は、図の作成、図上での画像の配置、データの閲覧等の処理を行う。なお、表示装置は情報処理装置１００に備え付けられているものであってもよいし、通信回線を介して接続されたユーザー端末の表示装置であってもよい。
位置関係図表示制御モジュール１３０は、指示受付モジュール１０５、位置関係図記憶モジュール１１０と接続されている。位置関係図表示制御モジュール１３０は、位置関係を示し、地域ごとに区分されている図を画面上に表示させるよう制御する。
【００３５】
共有データ表示制御モジュール１３５は、指示受付モジュール１０５、データ管理モジュール１２０と接続されている。共有データ表示制御モジュール１３５は、画像を図上の地域（図内の一部分）上に表示させるよう制御する。
指示受付モジュール１０５が「図内で、指定した地域の範囲内でさらに、画像を表示させる位置を指定すること」を受け付けた場合には、共有データ表示制御モジュール１３５は、指定した地域の範囲内で、指定された位置に画像を表示することができる。前述の例のように、図として地図を用いた場合、陸地の部分にデータを配置することに該当する。
そして、共有データ表示制御モジュール１３５は、指定した地域以外へは、画像を表示させる位置として指定することができないようにする。つまり、指示受付モジュール１０５が「図内で、指定した地域の範囲以外で、画像を表示させる位置を指定すること」を受け付けた場合には、共有データ表示制御モジュール１３５は、指定された位置に画像を表示させないようにすることができる。
ここで「指定した地域以外」として、例えば、図として地図を用いた場合、陸地以外の部分である海、川等が該当する。この場合、海、川等の地域に、データを配置することはできない。
【００３６】
また、共有データ表示制御モジュール１３５は、指示受付モジュール１０５が目印を表示させる指示を受け付けた場合、図上の一部分での目印を表示させる。
そして、目印付近に配置させるデータの種類を定めた規則が設定されており、共有データ表示制御モジュール１３５は、その規則にしたがって、画像の表示を制御する。
ここで「規則」として、例えば、目印とデータの種類を対応させたテーブルを用意しておき、その目印付近に配置されるデータの種類を抽出し、その種類がテーブル内の種類に合致している場合は配置を許可し、合致しない場合は、配置できない旨のメッセージ等を表示し、そのデータの配置を不許可とすればよい。
【００３７】
また、共有データ表示制御モジュール１３５は、データの容量、重要度、バージョンアップのいずれか１つ以上に応じて、画像を変化させるようにしてもよい。
ここで「画像を変化させる」とは、データと画像表示を連携させるものであり、例えば、データの容量が増えると、画像がビルである場合、そのビルの階数を高くすること、画像が山である場合、その山の標高を高くすること等が該当する。
また「データの容量」として、文書である場合は、ページ数を含めてもよい。
また、共有データ表示制御モジュール１３５は、ユーザーがデータを閲覧した順序を図上に表示するようにしてもよい。
例えば、共有データ表示制御モジュール１３５は、閲覧した順序を記号で表示するようにしてもよい。
ここで「記号」（表象図ともいう）として、例えば、足跡記号等がある。足跡を順に辿ることによって、閲覧した順序にデータを辿ることができる。
【００３８】
通知モジュール１４０は、目印が作成された場合、図を共有しているユーザーにその目印の作成を通知する。
また、通知モジュール１４０は、目印付近にデータが配置された場合に、ユーザーに通知するようにしてもよい。
また、通知モジュール１４０は、図が閲覧された場合に、ユーザーに通知するようにしてもよい。ここで「図が閲覧された場合」として、図を用いたデータ格納を行うアプリケーションを開いた場合が該当する。
【００３９】
図２は、本実施の形態を利用したシステム構成例を示す説明図である。
情報処理装置１００Ａ、情報処理装置１００Ｂ、ユーザー端末２１０Ａ、ユーザー端末２１０Ｂ、ユーザー端末２１０Ｃ、ユーザー端末２１０Ｄ、データ管理装置２５０は、通信回線２９０を介してそれぞれ接続されている。通信回線２９０は、無線、有線、これらの組み合わせであってもよく、例えば、通信インフラとしてのインターネット、イントラネット等であってもよい。また、情報処理装置１００、データ管理装置２５０による機能は、クラウドサービスとして実現してもよい。
データ管理装置２５０は、位置関係図記憶モジュール１１０Ｂ、共有データ記憶モジュール１１５Ｂを有している。
【００４０】
例えば、ユーザー端末２１０Ａ、ユーザー端末２１０Ｂは同じグループに属しており、情報処理装置１００Ａを用いて文書を共有している。ユーザー端末２１０Ｃ、ユーザー端末２１０Ｄは同じグループに属しており、情報処理装置１００Ｂを用いて文書を共有している。そして、同じグループで用いられる図として、例えば、そのグループ員が位置関係に関して共通して認識している地図等が採用される。
情報処理装置１００Ｂは、情報処理装置１００の共有データ記憶モジュール１１５、データ管理モジュール１２０、表示制御モジュール１２５を有している（つまり、位置関係図記憶モジュール１１０、共有データ記憶モジュール１１５を有していない）装置であり、位置関係図記憶モジュール１１０、共有データ記憶モジュール１１５として、データ管理装置２５０の位置関係図記憶モジュール１１０Ｂ、共有データ記憶モジュール１１５Ｂを、通信回線２９０を介して用いるようにしている。また、データ管理装置２５０は、複数の情報処理装置１００に対して、位置関係図記憶モジュール１１０、共有データ記憶モジュール１１５の機能を有しているようにしてもよい。その場合、その複数の情報処理装置１００で、共通の図、データを取り扱う場合に用いられる。
共通の文書が多くなったとしても、地図等のグループ員が共通して認識している図の上に、その文書が配置されているので、ユーザーが所望する文書にダイレクトにアクセスすることができるようになる。つまり、地図のように視覚的な特徴と関連付けて記憶するのに適した図中に文書を配置する。そして、文書を閲覧する際は、地図上をスワイプ（マルチタッチインターフェースにおける操作のうち、画面に触れた状態で指を滑らせる操作）して文書を探すようにすればよい。また、文書を地図上で他の場所に移動した場合は、移動前の場所に移動先の情報を残す。
【００４１】
図３は、本実施の形態による処理例を示すフローチャートである。処理の概要を示すものである。
ステップＳ３０２では、まず、グループ内のユーザー（例えばリーダー等）の操作にしたがって、地図（図の一例）を作成する。
ステップＳ３０４では、グループ内のユーザーの操作にしたがって、その地図上に文書（データの一例）を登録する。つまり、その文書のアイコン（データを表象した画像の一例）を地図上に配置する。
ステップＳ３０６では、グループ内のユーザーの操作にしたがって、その文書を移動する。
【００４２】
図４は、本実施の形態による処理例を示すフローチャートである。図３の例に示したフローチャート内のステップＳ３０２の処理例を示すものである。
ステップＳ４０２では、地図は作成されているか否かを判断し、作成されている場合はステップＳ４０４へ進み、それ以外の場合はステップＳ４０８へ進む。
ステップＳ４０４では、表示されている地図に文書は登録されているか否かを判断し、登録されている場合はステップＳ４０６へ進み、それ以外の場合はステップＳ４１０へ進む。
ステップＳ４０６では、地図作成、文書登録、移動のメニューを表示する。
ステップＳ４０８では、地図作成のメニューを表示する。
ステップＳ４１０では、地図作成、文書登録のメニューを表示する。
【００４３】
図５は、本実施の形態による処理例を示すフローチャートである。
ステップＳ５０２では、ユーザーのメニュー選択を判断し、「地図作成」の場合はステップＳ５０４へ進み、「文書登録」の場合はステップＳ５１６へ進み、「移動」の場合はステップＳ５２２へ進む。
ステップＳ５０４では、地図の作成方法を判断し、「テンプレート選択」の場合はステップＳ５０６へ進み、「ランダム作成」の場合はステップＳ５１０へ進み、「フリーハンド作成」の場合はステップＳ５１２へ進む。位置関係図表示制御モジュール１３０は、ユーザーが地図作成を選択したら、表示装置に、どのような手段で地図（境界）を作成するかを選択させるためのＵＩ（Ｕｓｅｒ  Ｉｎｔｅｒｆａｃｅ、具体的には、ダイアログ等）を表示する。
【００４４】
ステップＳ５０６では、テンプレートを表示する。予め用意された型としての地図を複数表示する。
例えば、地図のテンプレートを列挙表示するのに、その操作者が所属しているグループ又はその地図を作成しようとしているグループの構成員の住所又は居所に基づいて、地図を選択するようにしてもよい。例えば、構成員の住所を含む地図を選択してもよいし、構成員の住所から通勤先までの経路の地図（例えば、路線図）を選択してもよいし、構成員の勤務先の住所を含む地図、勤務先が１つである場合は、勤務先の最寄り駅から勤務先までの経路の地図を選択してもよい。構成員がなじみのある地図を用いることによって、文書を記憶しやすくすることができる。
ステップＳ５０８では、ステップＳ５０６で表示されたテンプレートの中から、ユーザーが所望するテンプレートを選択する。
【００４５】
ステップＳ５１０では、地図をランダムに作成する。ランダムの場合は、既存の地図作成ツール等で使われるアルゴリズムを利用して、情報処理装置１００内でランダムな地図を作成し、ユーザーに提示する。
ステップＳ５１２では、ユーザーの操作に応じて地図を作成する。フリーハンドの場合は、ユーザーが地図を作成するために必要なＵＩパーツ（ペン等）を提供する。ユーザーはこれを用いて、囲まれた境界（地図）を作成する。
ステップＳ５１４では、地図を配置する。全体の地図の一部分である場合は、その作成された地図を画面上に配置し、さらに、ステップＳ５０４（又は、前回に選択した方法であるステップＳ５０６、ステップＳ５１０、ステップＳ５１２のいずれか）に戻り、他の部分の地図を作成する。具体的には、ＯＫボタン等によりユーザーが地図を決定したら、その地図を、ユーザーのドラッグ＆ドロップ操作などにより、表示装置（画面）上の地図が存在しない場所に配置させる。
なお、地図（全体又は一部の地図）には最大面積があってもよい。すなわち、ある地図に配置可能な文書数及び１文書当たりの面積を予め定めておき、「配置可能文書数×１文書当たりの面積」の範囲に収まる面積の地図のみを作成できるようにしてもよい。
また、作成された地図の名前や座標情報を位置関係図記憶モジュール１１０に記憶させ、後に位置関係図表示制御モジュール１３０が参照できるようにしてもよい。
また、地図上には、文書を配置可能な領域と文書を配置できない領域を設定してもよい。例えば、ユーザーの操作に応じて設定してもよいし、予め定められた領域（例えば、陸地等）を「文書を配置可能な領域」とし、それ以外の領域（例えば、川、海等）を「文書を配置できない領域」としてもよい。
【００４６】
ステップＳ５１６では、ユーザーの操作に応じて地図上の位置を指定する。ステップＳ５１６の詳細な処理については、図６の例に示すフローチャートを用いて後述する。
ステップＳ５１８では、文書を指定する。
ステップＳ５２０では、地図上に文書を配置する。
ステップＳ５２２では、地図上の文書を選択する。
ステップＳ５２４では、ユーザーの操作に応じて地図上の位置を指定する。ステップＳ５２４の詳細な処理については、図６の例に示すフローチャートを用いて後述する。
ステップＳ５２６では、指定された位置に文書を移動する。
【００４７】
図６は、本実施の形態による処理例を示すフローチャートである。
ステップＳ６０２では、ユーザーの操作によって指定された位置を受け付ける。
ステップＳ６０４では、指定された位置は文書配置が可能（例えば、地図内の陸地）であるか否かを判断し、可能の場合は処理を終了し（ステップＳ６９９）、それ以外の場合はステップＳ６０６へ進む。
ステップＳ６０６では、指定された位置は文書配置ができない旨を提示し、ステップＳ６０２へ戻る。
【００４８】
図７は、地図管理テーブル７００、配置可能・不可領域管理テーブル７５０のデータ構造例を示す説明図である。地図作成（ステップＳ５０４〜Ｓ５１４）の結果で、地図管理テーブル７００、配置可能・不可領域管理テーブル７５０を作成し、位置関係図記憶モジュール１１０に記憶させる。
図７（ａ）は、地図管理テーブル７００のデータ構造例を示す説明図である。
地図管理テーブル７００は、地図ＩＤ欄７０５、作成者欄７１０、利用グループ欄７１５、作成日時欄７２０、地図内容欄７２５を有している。地図ＩＤ欄７０５は、本実施の形態において、地図を一意に識別するための情報（地図ＩＤ：ＩＤｅｎｔｉｆｉｃａｔｉｏｎ）を記憶している。作成者欄７１０は、その地図の作成者（例えば、ユーザーＩＤ）を記憶している。利用グループ欄７１５は、その地図を利用するグループ（例えば、グループＩＤ）を記憶している。作成日時欄７２０は、その地図の作成日時（年、月、日、時、分、秒、秒以下、又はこれらの組み合わせであってもよい）を記憶している。地図内容欄７２５は、その地図の内容を記憶している。例えば、地図の内容を示すデータとして、ビットマップ画像（ｂｍｐ、ｇｉｆ、ｊｐｇ等）、地図の境界線を示すベクトルデータ等がある。
【００４９】
図７（ｂ）は、配置可能・不可領域管理テーブル７５０のデータ構造例を示す説明図である。
配置可能・不可領域管理テーブル７５０は、地図ＩＤ欄７５５、文書配置可能領域欄７６０、文書配置不可能領域欄７７０を有しており、文書配置可能領域欄７６０は（Ｘ１，Ｙ１）欄７６２、（Ｘ２，Ｙ２）欄７６４を有しており、文書配置不可能領域欄７７０は（Ｘ３，Ｙ３）欄７７２、（Ｘ４，Ｙ４）欄７７４を有している。地図ＩＤ欄７５５は、地図ＩＤを記憶している。文書配置可能領域欄７６０は、その地図における文書配置可能領域を記憶している。（Ｘ１，Ｙ１）欄７６２は、座標（Ｘ１，Ｙ１）を記憶している。（Ｘ２，Ｙ２）欄７６４は、座標（Ｘ２，Ｙ２）を記憶している。文書配置不可能領域欄７７０は、その地図における文書配置不可能領域を記憶している。（Ｘ３，Ｙ３）欄７７２は、座標（Ｘ３，Ｙ３）を記憶している。（Ｘ４，Ｙ４）欄７７４は、座標（Ｘ４，Ｙ４）を記憶している。例えば、（Ｘ１，Ｙ１）欄７６２、（Ｘ３，Ｙ３）欄７７２は、矩形領域の左上座標を示しており、（Ｘ２，Ｙ２）欄７６４、（Ｘ４，Ｙ４）欄７７４は、矩形領域の右下座標を示している。
【００５０】
図８〜図１１は、地図を作成する処理例を示すものである。
図８は、本実施の形態による処理例を示す説明図である。
ユーザー端末８００は、画面８１０を有している。例えば、画面８１０には、メッセージ／アラート表示領域８２０、地図／文書表示領域８３０、メニュー領域８４０を表示し、メニュー領域８４０には、地図作成ボタン８４２、文書登録ボタン８４４を表示する。
情報処理装置１００のユーザーがログインすると、位置関係図表示制御モジュール１３０は、位置関係図記憶モジュール１１０に記憶されている既存の地図、文書の座標情報、名前情報等にしたがって、ユーザー端末８００上に地図として表示する。表示形態としては、２Ｄでもよいし、３Ｄでもよい。
位置関係図表示制御モジュール１３０は、画面８１０上に、地図作成のきっかけとなるＵＩパーツ（地図作成ボタン８４２）を表示する。ＵＩパーツはボタンやコンテキストメニューなどが一般的だが、これに限られない。
【００５１】
図９は、本実施の形態による処理例を示す説明図である。
図５の例に示したフローチャートにおけるステップＳ５０４における表示例を示すものである。
地図作成ボタン８４２がユーザーによって押下操作９１０された場合、メッセージ／アラート表示領域８２０には、例えば「どの方法で領域を作成しますか？」と表示し、地図／文書表示領域８３０には、地図作成方法選択メニュー９２０を表示する。地図作成方法選択メニュー９２０では、「テンプレート選択」（ステップＳ５０６）、「ランダム」（ステップＳ５１０）、「フリーハンド」（ステップＳ５１２）のいずれかを選択できるようにしている。この例では、「テンプレート選択」が選択されている。
【００５２】
図１０は、本実施の形態による処理例を示す説明図である。
地図が完成すると、図１０の例に示すように、メッセージ／アラート表示領域８２０には、例えば「この地図でよいですか？」と表示し、地図／文書表示領域８３０には、作成された地図（領域）１０１０、ＯＫボタン１０２０、キャンセルボタン１０３０を表示する。ＯＫボタン１０２０が選択された場合は、作成された地図（領域）１０１０を位置関係図記憶モジュール１１０に記憶させる。キャンセルボタン１０３０が選択された場合は、作成された地図（領域）１０１０を破棄して（又は修正対象として）、ステップＳ５０４以降の処理を繰り返す。
例えば、「テンプレート選択」の場合、テンプレートの中からユーザーが所望の地図を選択し、ＯＫボタン１０２０を押す。キャンセルボタン１０３０が押されると、次のテンプレートの地図を表示する。
【００５３】
図１１は、本実施の形態による処理例を示す説明図である。
図１０で完成した地図（一部分）を、ユーザーの操作にしたがって、全体の地図（ここでは、地図／文書表示領域８３０（いわゆる白地図）に配置する。メッセージ／アラート表示領域８２０には、例えば「配置する場所を選択してください。」と表示し、地図／文書表示領域８３０には、地図（領域）１１１０、ＯＫボタン１１２０、キャンセルボタン１１３０を表示する。
例えば、未だに地図が配置されていない領域に、地図（領域）１１１０を配置する。この時点で、ＯＫボタン１１２０が押されると、地図（領域）１１１０の配置が完了する。
【００５４】
図１２、図１３は、文書を配置する処理例を示すものである。
図１２は、本実施の形態による処理例を示す説明図である。
共有データ表示制御モジュール１３５は、画面８１０上に、文書配置のきっかけとなるＵＩパーツ（文書登録ボタン８４４）を表示する。ＵＩパーツはボタンやコンテキストメニューなどが一般的だが、これに限られない。
文書登録ボタン８４４がユーザーによって押下操作１２１０された場合、メッセージ／アラート表示領域８２０には、例えば「文書を配置する場所を選択してください。」と表示する。
そして、ユーザーによって地図上の選択された場合には、地図／文書表示領域８３０にピン１２３０のピン表示処理１２２０を行う。また、文書登録ボタン８４４が押下操作１２１０されたならば、地図に文書を配置するためのＵＩ（例えば、ダイアログ等）を表示するようにしてもよい。
具体的には、ユーザーの操作にしたがって、地図をスワイプによって移動し、所望の大きさまで拡大する。そして、文書登録ボタン８４４が押下操作１２１０されると、ユーザーの操作によって配置する場所が選択（タップ）され、その場所にピン１２３０を表示する。
【００５５】
図１３は、本実施の形態による処理例を示す説明図である。
メッセージ／アラート表示領域８２０には、例えば「文書を配置する場所を選択してください。」と表示する。
地図／文書表示領域８３０には、文書のリストである文書選択ダイアログ１３１０を表示し（また、文書名をユーザーに入力させてもよい）、文書選択ダイアログ１３１０内の選択された文書アイコン１３２０を、ピン１２３０の位置に表示する。
図１３の例では、文書アイコン１３２０として、図１２の例に示したピン１２３０の位置に、メディアタイプのアイコンと文書名を表示している。
なお、コンテントのサイズを示すものであってもよい。
【００５６】
図１４、図１５は、文書を移動する処理例を示すものである。
図１４は、本実施の形態による処理例を示す説明図である。
メニュー領域８４０には、地図作成ボタン８４２、文書登録ボタン８４４、移動ボタン１４４６を表示する。
移動ボタン１４４６がユーザーによって押下操作１４１０された場合、メッセージ／アラート表示領域８２０には、例えば「「移動先を選択してください。」と表示する。
そして、地図／文書表示領域８３０内の文書アイコン１３２０がユーザーによって押下操作１４２０された後に、押下操作１４３０された場合、その位置に移動先ピン１４４０を表示する。そして、文書アイコン１３２０を移動先ピン１４４０の位置に表示する。
【００５７】
図１５は、本実施の形態による処理例を示す説明図である。共有データ表示制御モジュール１３５は、いったん配置された文書を別の場所に移動した後に、移動前の文書があった場所をユーザーが選択したら、以前その場所に存在した文書名を表示し、ユーザーが文書名を選択したら、その文書がどこに移動したのかを矢印などによって表示してもよい。なお、文書の移動が行われた場合には、移動元の場所には移動元アイコン（マーク）１５１０を表示する。
具体的には、文書アイコン１３２０が図１４の例で示した移動先ピン１４４０の位置へ移動した後、移動元アイコン（マーク）１５１０がユーザーによって選択された場合、文書名表示領域１５６０を表示する。そして、文書名表示領域１５６０がユーザーによって押下操作１５５０された場合、移動元アイコン（マーク）１５１０から文書アイコン１３２０に移動したことを示す移動矢印１５２０を表示する。
【００５８】
共有データ表示制御モジュール１３５は、ユーザーが文書を配置する場所を選び、文書名やコンテンツを指定すると、文書の名前や座標やコンテンツ情報を共有データ記憶モジュール１１５に記憶させる。例えば、文書管理テーブル１６００を記憶させる。図１６は、文書管理テーブル１６００のデータ構造例を示す説明図である。文書管理テーブル１６００は、地図ＩＤ欄１６０５、文書ＩＤ欄１６１０、文書格納場所（ＵＲＬ）欄１６１５、地図上配置位置欄１６２０、文書名欄１６２５、文書アイコン欄１６３０を有しており、地図上配置位置欄１６２０は、Ｘ欄１６２２、Ｙ欄１６２４を有している。地図ＩＤ欄１６０５は、地図ＩＤを記憶している。文書ＩＤ欄１６１０は、本実施の形態において、文書を一意に識別するための情報（文書ＩＤ）を記憶している。文書格納場所（ＵＲＬ）欄１６１５は、文書格納場所（ＵＲＬ）を記憶している。地図上配置位置欄１６２０は、その地図上におけるその文書の配置位置を記憶している。Ｘ欄１６２２は、配置位置におけるＸ座標を記憶している。Ｙ欄１６２４は、配置位置におけるＹ座標を記憶している。文書名欄１６２５は、その文書の文書名を記憶している。文書アイコン欄１６３０は、その文書のアイコンを記憶している。
【００５９】
文書を配置可能な場所は、まだ文書が配置されていない場所に限ってもよいし、すでに配置されている文書と同じ場所であってもよい。この場合（同じ場所に移動した場合）は、文書のバージョン追加やコンテンツの差し替えとみなすようにしてもよい。
また、文書の配置時に、文書ごとにアクセス権を設定できてもよい。
文書を配置したい場所がすでに埋まっている場合は、地図を拡大して隙間を作成して文書を配置してもよい。
【００６０】
位置関係図表示制御モジュール１３０、共有データ表示制御モジュール１３５は、位置関係図記憶モジュール１１０、共有データ記憶モジュール１１５により記憶されている地図、文書を、地図／文書表示領域８３０に表示（再描画）する。
文書の表示方法として、サムネイルや文書名やメディアタイプ画像や重要度ごとに色分け表示するようにしてもよい。
図の移動方法としてスワイプやタッチした場所を新たな中心とする、などがあるが、これに限らない。図の拡大縮小方法としてピンチイン・ピンチアウトが考えられるが、これに限らない。
ある程度拡大したら、別の表示形態に変更してもよい。例えば、最初は文書を２Ｄの地図上にアイコンで表示するが、拡大したら文書を３Ｄのビルで表現しバージョンを表示してもよい。
また、最初は従来のようにツリー階層で表示するが、階層が深くなった場合は、地図表示に切り替えてもよい。
文書にアクセス権が設定されている場合は、読み取りのアクセス権がない文書は表示しないようにしてもよい。
【００６１】
図１７〜図２８の例を用いて、ランドマーク処理について説明する。
各ユーザーが自由に文書を地図上に配置できるため、特定の基準でまとめられる文書群（例えば、ある週のグループ員の週報）であってもばらばらの場所に配置されてしまい、関連する文書を見つけにくくなってしまう。
そこで、本実施の形態では、ランドマークを用いて、（ランドマークを用いない場合に比べて）関連する文書を見つけやすくしている。
地図上にランドマークと呼ばれるマークを設置し、文書登録時の起点とする。例えば、そのランドマーク付近にのみ文書を配置できるようにしてもよい。これによって、ユーザーは、ランドマークの周辺を探すことにより、関連する文書を容易に見つけられるようになる。
【００６２】
図１７は、本実施の形態による処理例を示すフローチャートである。
ステップＳ１７０２では、受け付けたユーザーの操作は、ランドマーク作成の操作であるか否かを判断し、ランドマーク作成の操作の場合はステップＳ１７０４へ進み、それ以外の場合はランドマーク作成の操作があるまで待機する。
ステップＳ１７０４では、ユーザーの操作にしたがって、ランドマークの配置位置の指定を受け付ける。
ステップＳ１７０６では、ユーザーの操作にしたがって、ランドマークに関わる情報を受け付ける。
ステップＳ１７０８では、ランドマークを生成する。例えば、ランドマーク管理テーブル１８００を生成する。
ステップＳ１７１０では、そのランドマークを使用できるグループを抽出する。
ステップＳ１７１２では、そのグループの構成員にランドマークが生成されたことを通知する。例えば、グループＩＤとユーザーＩＤが対応付けられたテーブルを予め用意しておき、そのテーブルを用いて、グループから通知先であるユーザーを抽出すればよい。
【００６３】
図１８は、ランドマーク管理テーブル１８００のデータ構造例を示す説明図である。ランドマーク管理テーブル１８００は、共有データ記憶モジュール１１５に記憶させる。ランドマーク管理テーブル１８００は、ランドマークＩＤ欄１８０５、ランドマーク情報欄１８１０を有しており、ランドマーク情報欄１８１０は、名称欄１８１２、位置欄１８１４、形状欄１８１６、アイコン欄１８１８、色欄１８２０、大きさ欄１８２２、作成者欄１８２４、登録可能グループ欄１８２６、配置可能文書欄１８２８を有している。ランドマークＩＤ欄１８０５は、本実施の形態において、ランドマークを一意に識別するための情報（ランドマークＩＤ）を記憶している。ランドマーク情報欄１８１０は、ランドマーク情報（名称欄１８１２〜配置可能文書欄１８２８）を記憶している。名称欄１８１２は、そのランドマークの名称を記憶している。位置欄１８１４は、そのランドマークの配置された位置を記憶している。形状欄１８１６は、そのランドマークの形状（円、楕円、矩形、多角形等）を記憶している。アイコン欄１８１８は、そのランドマークのアイコンを記憶している。色欄１８２０は、そのランドマークの色を記憶している。大きさ欄１８２２は、そのランドマークの大きさを記憶している。作成者欄１８２４は、そのランドマークの作成者を記憶している。登録可能グループ欄１８２６は、そのランドマークの付近に文書を配置できるグループを記憶している。配置可能文書欄１８２８は、そのランドマークの付近に配置可能な文書の種類を記憶している。そのランドマークの付近に配置可能な文書の種類として、例えば、文書名に「週報」と記載されている文書、作成者が予め定められたユーザーであること、作成日時が予め定められた期間内であること等がある。
【００６４】
また、ランドマークには、親子関係を有していてもよい。図１９は、階層ランドマーク管理テーブル１９００のデータ構造例を示す説明図である。階層ランドマーク管理テーブル１９００は、ランドマークＩＤ欄１９０５、親ランドマークＩＤ欄１９１０、子ランドマークＩＤ欄１９１５を有している。ランドマークＩＤ欄１９０５は、ランドマークＩＤを記憶している。親ランドマークＩＤ欄１９１０は、そのランドマークの親であるランドマークＩＤを記憶している。子ランドマークＩＤ欄１９１５は、そのランドマークの子であるランドマークＩＤを記憶している。
【００６５】
図２０は、本実施の形態による処理例を示すフローチャートである。文書を、ランドマークがある地図上に配置する場合の処理例を示すものである。
ステップＳ２００２では、ランドマークがあるか否かを判断し、ある場合はステップＳ２００４へ進み、それ以外の場合はステップＳ２０１０へ進む。
ステップＳ２００４では、登録する文書の特徴を抽出する。抽出する特徴として、例えば、文書名、作成者、作成日時、データ量等がある。
【００６６】
ステップＳ２００６では、その文書を配置すべきランドマークはあるか否かを判断し、ある場合はステップＳ２００８へ進み、それ以外の場合はステップＳ２０１０へ進む。
ステップＳ２００８では、推奨すべきランドマークを提示する。
ステップＳ２０１０では、ユーザーの登録指示にしたがって、文書を配置する。ステップＳ２０１０では、図５の例に示したフローチャートのステップＳ５１６以降の処理と同等の処理を行う。
【００６７】
図２１は、本実施の形態による処理例を示すフローチャートである。
ステップＳ２１０２では、ランドマーク付近に文書は配置されたか否かを判断し、配置された場合はステップＳ２１０４へ進み、それ以外の場合は配置されるまで待機する。
ステップＳ２１０４では、その地図を使用できるグループを抽出する。図７の例に示した地図管理テーブル７００の利用グループ欄７１５を用いればよい。
ステップＳ２１０６では、そのランドマークを使用できるグループを抽出する。図１８の例に示したランドマーク管理テーブル１８００の登録可能グループ欄１８２６を用いればよい。
【００６８】
ステップＳ２１０８では、ステップＳ２１０６で、そのランドマークを使用できるグループを抽出できたか否かを判断し、抽出できた場合はステップＳ２１１０へ進み、それ以外の場合はステップＳ２１１２へ進む。
ステップＳ２１１０では、そのグループの構成員にランドマーク付近に文書が配置されたことを通知する。
ステップＳ２１１２では、ステップＳ２１０４で抽出されたグループの構成員にランドマーク付近に文書が配置されたことを通知する。
【００６９】
図２２は、本実施の形態による処理例を示す説明図である。
共有データ表示制御モジュール１３５は、画面８１０上に、ランドマーク作成のきっかけとなるＵＩパーツ（ランドマーク作成ボタン２２４８）を表示する。ＵＩパーツはボタンやコンテキストメニューなどが一般的だが、これに限られない。
メニュー領域８４０には、例えば、地図作成ボタン８４２、ランドマーク作成ボタン２２４８、文書登録ボタン８４４を表示する。
ランドマーク作成ボタン２２４８が、ユーザーによって押下操作２２１０された場合、メッセージ／アラート表示領域８２０には、例えば「ランドマークを配置する場所を選択してください。」と表示する。
そして、ユーザーによってランドマークを表示する位置が指定された場合、ピン表示処理２２２０を行って、その場所にピン２２３０を表示する。
【００７０】
図２３は、本実施の形態による処理例を示す説明図である。
ランドマークに関する情報を設定する処理例を説明する。
メッセージ／アラート表示領域８２０には、例えば「ランドマーク名を入力してください。」と表示する。
地図／文書表示領域８３０には、ランドマーク名設定領域２３１０を表示し、ランドマーク名設定領域２３１０には、ＯＫボタン２３１２、キャンセルボタン２３１４を表示する。
例えば、ランドマーク名設定領域２３１０にランドマーク名として「２０１７０２２８週報」と設定される。
この他に、そのランドマーク付近に配置することができるグループ（又はユーザー）を設定できるようにしてもよい。
また、ランドマークを作成する場所、ランドマーク名の他に、ランドマークの形、アイコン、色、大きさ等を設定できるようにしてもよい。ＯＫボタン２３１２がユーザーによって押下された場合、ランドマークに関する情報を共有データ記憶モジュール１１５に記憶させる。
ランドマークの形は円形、楕円形、四角形等でもよいし、ユーザーが自由に形を決めてもよい。
また、既にランドマークが存在する場所に重なる形でランドマークを作成してもよいし、完全に既存のランドマークに包含されるランドマーク（サブランドマーク）を作成してもよい。
さらに、既存のランドマークを選択して、そのランドマークの領域のサイズを変更できるようにしてもよい。
【００７１】
図２４は、本実施の形態による処理例を示す説明図である。図２２、図２３の例に示す処理の後、地図上にランドマーク２４１０を表示する例を説明する。
メッセージ／アラート表示領域８２０には、例えば「ランドマークを作成しました。」と表示する。
地図／文書表示領域８３０には、ランドマーク２４１０を表示する。そして、ランドマーク２４１０の周囲にランドマーク名「２０１７０２２８週報」を表示している。
共有データ表示制御モジュール１３５は、共有データ記憶モジュール１１５に記憶された位置情報、名前、形等の情報を元に、地図上にランドマークを表示する。ランドマークの表示方法として、ランドマーク名、ランドマークの範囲の色を地の色とは変えて表示するが、これに限られない。
【００７２】
図２５は、本実施の形態による処理例を示す説明図である。ランドマークの付近に文書を配置する例を説明する。
メッセージ／アラート表示領域８２０には、例えば「文書を登録するランドマークを指定してください。」と表示する。文書登録時にランドマークが存在する場所を選択する。具体的には、ユーザーの選択操作２５１０によって、ランドマーク２４１０が選択され、その位置にピン２５２０を表示する。
【００７３】
図２６は、本実施の形態による処理例を示す説明図である。
図２５の例に示すピン２５２０（ランドマーク２４１０内）に文書アイコン２６２０を表示する。そして、メッセージ／アラート表示領域８２０には、例えば「文書が登録されました。」と表示する。
【００７４】
図２７は、本実施の形態による処理例を示す説明図である。ランドマーク間に、親子関係をもたせてもよい。
例えば、ランドマーク（週報）２７１０は週報を配置する領域であり、ランドマーク（週報）２７１０の子であるサブランドマーク（２０１７０２２８週報）２７２０はある週の週報を配置する領域であることを示している。
また、ランドマーク名については、サブランドマーク名はある程度、地図を拡大しないと見えないようにしてもよい。
【００７５】
図２８は、本実施の形態による処理例を示す説明図である。ランドマークのＵＲＬの表示例を示すものである。
ランドマーク（週報）２７１０がユーザーによって選択（長押しなど）操作２８１０された場合、文書格納場所表示領域２８３０を表示操作２８２０する。例えば、文書格納場所表示領域２８３０には、「名前：週報、ＵＲＬ：ｈｔｔｐ：／／ａａａ．ｃｏｍ／ｌａｎｄｍａｒｋ−０００１／」と表示する。これは、ランドマーク（週報）２７１０内に配置された文書（週報）が格納されるＵＲＬを示している。ＵＲＬを表示するのは、他のユーザーに文書の登録場所を示すためである。つまり、このＵＲＬを他のユーザーに電子メール等で知らせ、週報を格納してもらう。週報がそのＵＲＬに格納された場合は、地図上（ランドマーク内）にその文書のアイコンを表示する。
また、共有データ表示制御モジュール１３５は、ユーザーがランドマークを選択してダウンロードの指示があった場合は、ランドマークに属するすべての文書をまとめてダウンロードしてもよい。
また、共有データ表示制御モジュール１３５は、文書を配置する際に、その文書が属するランドマークを追加で入力できるようにしてもよい。もちろんのことながら、ランドマークの指定は必須でも任意でもよい。
【００７６】
図２９は、本実施の形態による処理例を示すフローチャートである。
ステップＳ２９０２では、文書の特徴（容量、重要度、バージョンアップ（版））を抽出する。
ステップＳ２９０４では、その特徴にしたがって、地図上に表示する文書アイコンを変化させる。例えば、１つの文書に２つのバージョンができたときに、文書アイコンがある位置に建物（例えば、ビル等）を表示し、その建物の各階に文書（１階に初版の文書、２階に２版の文書等）を配置するようにしてもよい。そして、その文書の版が重なる毎に、地図上では建物の高さを高くするようにしてもよい。また、文書の容量に応じて、文書アイコンの大きさを変化させてもよい。例えば、文書の容量が大きくなると、文書アイコンの大きさも大きくなるようにしてもよい。また、重要度に応じて、文書アイコンの色を変化させてもよい。例えば、重度が高くなると、赤色を濃くするようにしてもよい。
【００７７】
図３０は、本実施の形態による処理例を示すフローチャートである。
ステップＳ３００２では、対象とするユーザーのログを抽出する。少なくとも閲覧のログを抽出する。例えば、ログ管理テーブル３１００から抽出すればよい。
ステップＳ３００４では、閲覧順序にしたがって、足跡記号の表示を行う。閲覧の順序にしたがって、地図上の文書アイコン間に足跡記号を描画する。つまり、文書Ａを閲覧した後に文書Ｂを閲覧した場合、文書Ａから文書Ｂに向かう足跡記号を文書Ａから文書Ｂの間に描画する。
【００７８】
各ユーザーが自由に文書を地図上に配置できるため、特定の基準でまとめられる文書群であってもばらばらの場所に配置されてしまうことになる（特に、前述のランドマークを用いていない場合である）。そのため、関連する文書を見つけにくくなってしまう。例えば、メンバーの週報等がある。
そこで、本実施の形態では、閲覧順序にしたがって足跡表示を行っている。具体的には、グループ内のユーザーが地図上で文書を閲覧（アクセス）した経路を「足跡」として表示する。これによって、足跡をたどることができ、関連する文書が見つけやすくなる。
【００７９】
図３１は、ログ管理テーブル３１００のデータ構造例を示す説明図である。ログ管理テーブル３１００は、ログＩＤ欄３１０５、日時欄３１１０、ユーザーＩＤ欄３１１５、閲覧文書ＩＤ欄３１２０を有している。ログ管理テーブル３１００は、共有データ記憶モジュール１１５に記憶される。ログＩＤ欄３１０５は、本実施の形態において、ログ（例えば、閲覧操作）を一意に識別するための情報（ログＩＤ）を記憶している。日時欄３１１０は、そのログを記録した日時を記憶している。ユーザーＩＤ欄３１１５は、本実施の形態において、そのログの操作を行ったユーザーを一意に識別するための情報（ユーザーＩＤ）を記憶している。閲覧文書ＩＤ欄３１２０は、そのログの対象となった閲覧文書ＩＤを記憶している。
【００８０】
図３２は、本実施の形態による処理例を示す説明図である。
メニュー領域８４０には、地図作成ボタン８４２、文書登録ボタン８４４、足跡表示ボタン３２５０が表示されており、これらは、あるユーザー（図３２の例では「富士太郎」）によって閲覧されている。
位置関係図表示制御モジュール１３０は、画面８１０上に、足跡表示のきっかけとなるＵＩパーツ（足跡表示ボタン３２５０）を表示する。例えば、地図／文書表示領域８３０に、ユーザー設定領域３２６０、文書アイコン３２７２、文書アイコン３２７４、文書アイコン３２７６を表示する。ＵＩパーツはボタンやコンテキストメニューなどが一般的だが、これに限られない。
ユーザーによって、足跡表示ボタン３２５０が押下操作３２１０された場合、ユーザー設定領域３２６０に対象となるユーザーの入力を促すために、メッセージ／アラート表示領域８２０には、例えば「ユーザーを選択してください。」と表示する。ユーザー設定領域３２６０の右端にある三角マークが選択されると、ユーザーのリストを表示し、対象となるユーザー（ターゲットユーザーとも言われる）が選択操作３２２０される。
【００８１】
図３３は、本実施の形態による処理例を示す説明図である。図３２の例に示した操作が行われた場合の足跡表示例を示すものである。
メッセージ／アラート表示領域８２０には、例えば「富士太郎さんの足跡」と表示する。
地図／文書表示領域８３０には、文書アイコン３２７２と文書アイコン３２７４の間に足跡３３２２を表示し、文書アイコン３２７４と文書アイコン３２７６の間に足跡３３２４を表示する。もちろんのことながら、ログ管理テーブル３１００内には、「富士太郎」がこの順番で文書を閲覧したことが記録されており、ログ管理テーブル３１００から、対象となるユーザー「富士太郎」の閲覧履歴（ログ）を抽出すればよい。
また、ターゲットユーザーの操作履歴の中から、ある期間に特定の操作（閲覧、ダウンロード、登録等）した文書の情報を取得するようにしてもよい。
そして、取得した文書の情報を操作日時の昇順で並び替え、操作日時が古い文書から順番に、次にアクセスした文書の座標への線分を図上に表示する。
例えば、単純に線を引いてもよいが、その線を中心として、足跡の画像を重ねて表示してもよい。
また、古い文書への足跡ほど足跡の透過度が高くなってもよい（古いものほど薄く見える）。
さらに、ある文書を選択すると、ターゲットユーザーがその文書にアクセスするに至るまでの足跡を表示してもよい。
【００８２】
また、派生形として、ある文書と他の文書の関連度が高い場合には、それらの関連を「道」として座標を線分で結ぶなどして表示してもよい。なお、関連度が高い文書の検索として、既存の類似文書検索（Ｅｌａｓｔｉｃ  ｓｅａｒｃｈ等）を用いればよい。類似度のしきい値を設定しておき、しきい値を満たす道のみを表示してもよい。
ある条件を満たす文書のみを強調表示（色を変えるなど）してもよいし、条件を満たさない文書を表示しなくてもよい。
【００８３】
地図上に文書を配置する場合、文書アイコンの重複配置は禁止する。したがって、狭い領域内に配置できる文書数は限られてしまう。つまり、各ユーザーが自由に文書を配置できるため、文書やランドマークを配置したい場所がすでに埋まってしまう場合がある。
そこで、本実施の形態では、そのような領域であっても文書を配置できるようにしている。具体的には、地図を拡大して隙間を生成して文書を配置できるようにしている。
例えば、文書Ａの隣に文書Ｂを配置したいのに、文書Ａの周りに空き地がない場合等に有効である。
なお、文書を移動すれば空き地を作れるが、ユーザーは位置関係をよりどころに文書の場所を把握しているので、文書を探しにくくなってしまうため、なるべく移動はしたくない。そこで、地図の拡大を行う。もちろんのことながら、地図を拡大・縮小しても文書アイコンの大きさは変更しない。
また、隙間に文書等が配置されている場合に図を縮小して表示すると、表示すべき文書等の情報が多くなり、アイコンや文書名が重なってしまい視認性を損なってしまう。そこで、隙間に配置された文書が多い場合に縮小表示した場合も視認性を損なわないように、拡大表示して配置された文書は、地図を縮小表示した場合は地図上に表示しないようにしている。
共有データ表示制御モジュール１３５は、文書を配置した時のスケール（Ｘ倍）を共有データ記憶モジュール１１５に記憶させておき、共有データ表示制御モジュール１３５は、そのスケールになるまで（そのスケール以上になるまで）文書アイコンを表示しないようにしている。具体的には、共有データ表示制御モジュール１３５は、文書が配置された時の地図のスケールと配置される文書を関連付けて、共有データ記憶モジュール１１５に記憶させる。
そして、共有データ表示制御モジュール１３５は、ユーザーによって図が拡大又は縮小された場合、現在のスケール値と文書配置時のスケール値を比較し、現在のスケール値が文書配置時のスケール値以上となった場合に文書アイコンを地図上に表示する。
【００８４】
図３４は、本実施の形態による処理例を示すフローチャートである。
ステップＳ３４０２では、拡大操作があったか否かを判断し、拡大操作があった場合はステップＳ３４０４へ進み、それ以外の場合は拡大操作があるまで待機する。
ステップＳ３４０４では、地図を拡大表示する。拡大に合わせて、文書アイコン間の空間を広くする。つまり、文書アイコンの大きさはそのまま（拡大処理の前の状態）で、地図を拡大すればよい。もちろんのことながら、地図の拡大に合わせて、文書の画面上における配置位置も異なることになる。
ステップＳ３４０６では、文書アイコン間の空間に対する文書の配置を受け付ける。
【００８５】
ステップＳ３４０８では、文書を配置する。
ステップＳ３４１０では、縮小操作があったか否かを判断し、縮小操作があった場合はステップＳ３４１２へ進み、それ以外の場合は縮小操作があるまで待機する。
ステップＳ３４１２では、地図を縮小表示する。
ステップＳ３４１４では、ステップＳ３４０８で配置された文書は表示させない（画面上から文書を消去する）。逆に、文書を配置した際の倍率になった場合は、その文書を表示する。
【００８６】
図３５は、本実施の形態による処理例を示す説明図である。
地図／文書表示領域８３０には、文書アイコン３５０２、文書アイコン３５０４、文書アイコン３５０６、文書アイコン３５０８、文書アイコン３５１０、文書アイコン３５１２を表示している。例えば、文書アイコン３５０２と文書アイコン３５０４の間に、ユーザーが「ここに配置したい３５２０」と考えたとしても、この状態では隙間がないので（文書を配置する領域がせまいので）、文書を配置することはできない。
【００８７】
図３６は、本実施の形態による処理例を示す説明図である。
図３５の例に示す状態から、ユーザーは地図を拡大操作３６１０をする。そして、ユーザーは文書登録ボタン８４４を押下操作３６２０する。ユーザーは、文書アイコン３５０２と文書アイコン３５０４の間を選択し、文書登録操作３６３０を行うと、その場所にピン３６４０を表示する。
【００８８】
図３７は、本実施の形態による処理例を示す説明図である。
図３６の例に示す操作が行われた場合の表示例を示すものである。文書アイコン３７１２を文書アイコン３５０２と文書アイコン３５０４の隙間に表示３７１０している。
【００８９】
図３８は、本実施の形態による処理例を示す説明図である。
図３７の例に示す表示が行われた後に、地図が縮小表示された場合の例を示している。つまり、文書の登録前の状態である図３５の例に示す表示と同じように、文書アイコン３７１２を表示していない。
ただし、この状態から図３６（図３７）の例で示した拡大倍率以上になった場合は、文書アイコン３７１２を文書アイコン３５０２と文書アイコン３５０４の間に表示する。
【００９０】
なお、本実施の形態としてのプログラムが実行されるコンピュータのハードウェア構成は、図３９に例示するように、一般的なコンピュータであり、具体的にはパーソナルコンピュータ、サーバーとなり得るコンピュータ等である。つまり、具体例として、処理部（演算部）としてＣＰＵ３９０１を用い、記憶装置としてＲＡＭ３９０２、ＲＯＭ３９０３、ＨＤＤ３９０４を用いている。ＨＤＤ３９０４として、例えば、ＨＤＤ（Ｈａｒｄ  Ｄｉｓｋ  Ｄｒｉｖｅ）、フラッシュ・メモリであるＳＳＤ（Ｓｏｌｉｄ  Ｓｔａｔｅ  Ｄｒｉｖｅ）等を用いてもよい。指示受付モジュール１０５、データ管理モジュール１２０、表示制御モジュール１２５、位置関係図表示制御モジュール１３０、共有データ表示制御モジュール１３５、通知モジュール１４０等のプログラムを実行するＣＰＵ３９０１と、そのプログラムやデータを記憶するＲＡＭ３９０２と、本コンピュータを起動するためのプログラム等が格納されているＲＯＭ３９０３と、位置関係図記憶モジュール１１０、共有データ記憶モジュール１１５等としての機能を有する補助記憶装置であるＨＤＤ３９０４と、キーボード、マウス、タッチスクリーン、マイク、カメラ（視線検知カメラ等を含む）等に対する利用者の操作（動作、音声、視線等を含む）に基づいてデータを受け付ける受付装置３９０６と、ＣＲＴ、液晶ディスプレイ、スピーカー等の出力装置３９０５と、ネットワークインタフェースカード等の通信ネットワークと接続するための通信回線インタフェース３９０７、そして、それらをつないでデータのやりとりをするためのバス３９０８により構成されている。これらのコンピュータが複数台互いにネットワークによって接続されていてもよい。
【００９１】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図３９に示すハードウェア構成は、１つの構成例を示すものであり、本実施の形態は、図３９に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）や再構成可能な集積回路（ｆｉｅｌｄ−ｐｒｏｇｒａｍｍａｂｌｅ  ｇａｔｅ  ａｒｒａｙ：ＦＰＧＡ）等）で構成してもよく、一部のモジュールは外部のシステム内にあり通信回線で接続している形態でもよく、さらに図３９に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００９２】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００９３】
１００…情報処理装置
１０５…指示受付モジュール
１１０…位置関係図記憶モジュール
１１５…共有データ記憶モジュール
１２０…データ管理モジュール
１２５…表示制御モジュール
１３０…位置関係図表示制御モジュール
１３５…共有データ表示制御モジュール
１４０…通知モジュール
２１０…ユーザー端末
２５０…データ管理装置
２９０…通信回線
【図１】
2020101669.tif 000003
【図２】
2020101669.tif 000004
【図３】
2020101669.tif 000005
【図４】
2020101669.tif 000006
【図５】
2020101669.tif 000007
【図６】
2020101669.tif 000008
【図７】
2020101669.tif 000009
【図８】
2020101669.tif 000010
【図９】
2020101669.tif 000011
【図１０】
2020101669.tif 000012
【図１１】
2020101669.tif 000013
【図１２】
2020101669.tif 000014
【図１３】
2020101669.tif 000015
【図１４】
2020101669.tif 000016
【図１５】
2020101669.tif 000017
【図１６】
2020101669.tif 000018
【図１７】
2020101669.tif 000019
【図１８】
2020101669.tif 000020
【図１９】
2020101669.tif 000021
【図２０】
2020101669.tif 000022
【図２１】
2020101669.tif 000023
【図２２】
2020101669.tif 000024
【図２３】
2020101669.tif 000025
【図２４】
2020101669.tif 000026
【図２５】
2020101669.tif 000027
【図２６】
2020101669.tif 000028
【図２７】
2020101669.tif 000029
【図２８】
2020101669.tif 000030
【図２９】
2020101669.tif 000031
【図３０】
2020101669.tif 000032
【図３１】
2020101669.tif 000033
【図３２】
2020101669.tif 000034
【図３３】
2020101669.tif 000035
【図３４】
2020101669.tif 000036
【図３５】
2020101669.tif 000037
【図３６】
2020101669.tif 000038
【図３７】
2020101669.tif 000039
【図３８】
2020101669.tif 000040
【図３９】
2020101669.tif 000041